(57)【要約】【課題】  アドレス放電の遅延時間を短縮させ，低放電現象を除去することが可能なプラズマ表示パネルの階調表現方法を提供すること。【解決手段】  各々の加重値を有する複数のサブフィールドのうち，点灯する上記サブフィールドの加重値の合計で階調を表現するプラズマ表示パネルの階調表現方法において，第１及び第２サブフィールドの加重値を決定する第１段階と，第ｎサブフィールド（ｎは３以上の整数）の加重値が，第（ｎ−１）サブフィールドの加重値と第（ｎ−２）サブフィールドの加重値の合計より小さいか又は同一であるように決定する第２段階と，を含み，上記第２段階が所定番目のサブフィールドまで繰り返されるプラズマ表示パネルの階調表現方法を提供する。【選択図】    図４
2005338774.tif 000002
【特許請求の範囲】
【請求項１】
各々の加重値を有する複数のサブフィールドのうち，点灯される前記サブフィールドの加重値の合計で階調を表現するプラズマ表示パネルの階調表現方法において，
第１及び第２サブフィールドの加重値を決定する第１段階と，
第ｎサブフィールド（ｎは３以上の整数）の加重値が，第（ｎ−１）サブフィールドの加重値と第（ｎ−２）サブフィールドの加重値の合計以下となるように決定する第２段階と，を含み，
前記第２段階が所定番目のサブフィールドまで繰り返されることを特徴とする，プラズマ表示パネルの階調表現方法。
【請求項２】
前記第ｎサブフィールドの加重値は，前記第（ｎ−１）サブフィールドの加重値と前記第（ｎ−２）サブフィールドの加重値の合計と同一となることを特徴とする，請求項１に記載のプラズマ表示パネルの階調表現方法。
【請求項３】
前記第１サブフィールドの加重値が１であり，前記第２サブフィールドの加重値が２であることを特徴とする，請求項１又は２に記載のプラズマ表示パネルの階調表現方法。
【請求項４】
前記第１及び前記第２サブフィールドの加重値が各々１であることを特徴とする，請求項１又は２に記載のプラズマ表示パネルの階調表現方法。
【請求項５】
前記第１及び前記第２段階によって加重値が決定されたサブフィールドを，前記加重値の大きさ順に配列し，
前記加重値が決定されたサブフィールドのうち，前記点灯されるサブフィールドの加重値の合計で表現される階調において，
前記階調を表現するサブフィールド配列で隣接したサブフィールドの順序の差は２以下であることを特徴とする，請求項１，２，３または４のいずれかに記載のプラズマ表示パネルの階調表現方法。
【請求項６】
複数の放電セルが形成されており，
各々の加重値を有する複数のサブフィールドのうち，点灯されるサブフィールドの加重値の総合計により前記複数の放電セルで階調が表現されるプラズマ表示パネルと；
入力される階調に応じて，前記複数のサブフィールドの中で前記放電セルが点灯されるサブフィールドを選択する制御部と；を含み，
前記制御部は，１階調から所定階調までの階調を表現する際，連続して点灯されないサブフィールドが２回以上存在しないようにサブフィールド配列を設定することを特徴とする，プラズマ表示装置。
【請求項７】
前記制御部は，第１及び第２サブフィールドの加重値を各々１に設定することを特徴とする，請求項６に記載のプラズマ表示装置。
【請求項８】
前記制御部は，第１サブフィールドの加重値を１に設定し，第２サブフィールドの加重値を２に設定することを特徴とする，請求項６に記載のプラズマ表示装置。
【請求項９】
前記制御部は，第ｎサブフィールドの加重値を，第（ｎ−１）サブフィールドの加重値と第（ｎ−２）サブフィールドの加重値の合計以下になるように設定することを特徴とする，請求項６〜８のうちのいずれか一つに記載のプラズマ表示装置。
【請求項１０】
前記制御部は，第ｎサブフィールドの加重値を，第（ｎ−１）サブフィールドの加重値と第（ｎ−２）サブフィールドの加重値の合計と同一となるように設定することを特徴とする，請求項６〜８のうちのいずれか一つに記載のプラズマ表示装置。
【発明の詳細な説明】
【技術分野】
【０００１】
本発明は，プラズマ表示パネルの階調表現方法及びプラズマ表示装置に係り，特に，各々の加重値を複数のサブフィールドの組み合わせによって階調を表現する方法及びプラズマ表示装置に関するものである。
【背景技術】
【０００２】
プラズマ表示装置は，気体放電によって生成されたプラズマを利用して文字又は映像を表示するプラズマ表示パネルを利用した表示装置である。プラズマ表示パネルは，その大きさによって数十から数百万個以上の画素（放電セル）がマトリックス形態に配列されている。このようなプラズマ表示パネルは，印加される駆動電圧波形の形態と放電セルの構造によって直流型（ＤＣ型）と交流型（ＡＣ型）とに区分される。
【０００３】
図１に示したように，一般的に，交流型プラズマ表示パネルの電極はｎ×ｍのマトリックス形態を有している。具体的に，アドレス電極（Ａ１〜Ａｍ）が列方向に延びており，走査電極（Ｙ１〜Ｙ１）及び維持電極（Ｘ１〜Ｘｎ）が行方向に延びている。この時，一対の走査電極及び維持電極とこれと交差するアドレス電極とによって放電セル１２が形成される。
【０００４】
交流型プラズマ表示パネルでは，一つのフィールド（１ＴＶフィールド）が各々の加重値を有する複数のサブフィールドに分割されて駆動され，複数のサブフィールドのうち，表示動作が起こるサブフィールドの加重値の合計により階調が表示される。そして，各サブフィールドは，リセット期間，アドレス期間，及び維持期間からなる。アドレス期間は，パネルの放電セルの中で，当該サブフィールドで点灯される放電セルを選択する期間である。維持期間は，アドレス期間で選択された放電セルを，当該サブフィールドの加重値に対応する期間の間維持放電させる期間である。
【０００５】
アドレス期間では，点灯される放電セルを選択するために走査電極（Ｙ１〜Ｙｎ）に順に走査パルスを印加する。そして，一つの走査電極（Ｙｉ）に走査パルスが印加される際，その走査電極（Ｙｉ）に形成される放電セルのうち，選択される放電セルを通過するアドレス電極（Ａ１〜Ａｍ）にアドレスパルスを印加する。そうすると，走査パルスとアドレスパルスが印加された放電セルで放電が起こり，壁電圧が形成される。このように，走査電極（Ｙ１〜Ｙｎ）に順に走査パルスを印加しながら点灯される放電セルを選択する。次に，走査電極（Ｙ１〜Ｙｎ）と維持電極（Ｘ１〜Ｘｎ）に共通に維持放電パルスを印加すれば，アドレス期間に壁電圧が形成された放電セルで維持放電が起こる。
【発明の開示】
【発明が解決しようとする課題】
【０００６】
しかしながら上記従来の方法では，一つのフィールドの期間は決められてあるので，各サブフィールドのアドレス期間に割当てられる期間も決められてくる。例えば，走査電極（Ｙ１〜Ｙｎ）が４８０ラインであるパネルではアドレス期間に４８０個の走査パルスが順に印加されなければならないため，走査パルスの幅が狭くなるしかない。ところが放電セルは，走査パルスとアドレスパルスが印加された時点で放電せず，ある程度遅延されて放電が起こる。したがって，放電が遅延することにより，放電が走査パルスの終了後に起こったり，走査パルスの終了時点で起こったりすると，その放電は正常な強さの放電より弱い放電となる。その結果，放電セルに壁電圧が正常に形成されないため，維持期間で弱い維持放電，つまり低放電が起こるという問題があった。
【０００７】
そこで，本発明は，このような問題に鑑みてなされたもので，その目的とするところは，アドレス期間での放電遅延を減らして低放電現象を除去することができる新規改良されたプラズマ表示パネルの階調表現方法およびプラズマ表示装置を提供することにある。
【課題を解決するための手段】
【０００８】
上記課題を解決するために，本発明のある観点によれば，各々の加重値を有する複数のサブフィールドのうち，点灯される上記サブフィールドの加重値の合計で階調を表現するプラズマ表示パネルの階調表現方法において，第１及び第２サブフィールドの加重値を決定する第１段階と，第ｎサブフィールド（ｎは３以上の整数）の加重値が，第（ｎ−１）サブフィールドの加重値と第（ｎ−２）サブフィールドの加重値の合計以下となるように決定する第２段階と，を含み，上記第２段階が所定番目のサブフィールドまで繰り返されることを特徴とする，プラズマ表示パネルの階調表現方法が提供される。
【０００９】
また，上記第ｎサブフィールドの加重値は，上記第（ｎ−１）サブフィールドの加重値と上記第（ｎ−２）サブフィールドの加重値の合計と同一となってもよい。
【００１０】
また，上記第１サブフィールドの加重値が１であり，上記第２サブフィールドの加重値が２であってもよい。
【００１１】
また，上記第１及び上記第２サブフィールドの加重値が各々１であってもよい。
【００１２】
また，上記第１及び上記第２段階によって加重値が決定されたサブフィールドを，上記加重値の大きさ順に配列し，上記加重値が決定されたサブフィールドのうち，上記点灯されるサブフィールドの加重値の合計で表現される階調において，上記階調を表現するサブフィールド配列で隣接したサブフィールドの順序の差は２以下であってもよい。
【００１３】
上記課題を解決するために，本発明の別の観点によれば，複数の放電セルが形成されており，各々の加重値を有する複数のサブフィールドのうち，点灯されるサブフィールドの加重値の総合計により上記複数の放電セルで階調が表現されるプラズマ表示パネルと；入力される階調に応じて，上記複数のサブフィールドの中で上記放電セルが点灯されるサブフィールドを選択する制御部と；を含み，上記制御部は，１階調から所定階調までの階調を表現する際，連続して点灯されないサブフィールドが２回以上存在しないようにサブフィールド配列を設定することを特徴とする，プラズマ表示装置が提供される。
【００１４】
また，上記制御部は，第１及び第２サブフィールドの加重値を各々１に設定してもよい。
【００１５】
また，上記制御部は，第１サブフィールドの加重値を１に設定し，第２サブフィールドの加重値を２に設定してもよい。
【００１６】
また，上記制御部は，第ｎサブフィールドの加重値を，第（ｎ−１）サブフィールドの加重値と第（ｎ−２）サブフィールドの加重値の合計以下になるように設定してもよい。
【００１７】
また，上記制御部は，第ｎサブフィールドの加重値を，第（ｎ−１）サブフィールドの加重値と第（ｎ−２）サブフィールドの加重値の合計と同一となるように設定してもよい。
【発明の効果】
【００１８】
本発明によれば，階調を表現する際，連続して２回以上点灯されないサブフィールドが存在しないようにし，所定のサブフィールドより以前に放電したサブフィールドのプライミング粒子を利用してアドレス放電の遅延時間を短縮させることができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
図２は，本発明の実施形態にかかるプラズマ表示装置の概略図である。
【００２１】
図２に示したように，本発明の実施形態にかかるプラズマ表示装置は，プラズマ表示パネル１００，制御部２００，アドレス電極駆動部３００，維持電極駆動部４００，及び走査電極駆動部５００を含む。
【００２２】
プラズマ表示パネル１００は，列方向に延びている複数のアドレス電極（Ａ１〜Ａｍ），行方向に互いに対をなして延びている複数の維持電極（Ｘ１〜Ｘｎ），及び走査電極（Ｙ１〜Ｙｎ）を含む。維持電極（Ｘ１〜Ｘｎ）は各走査電極（Ｙ１〜Ｙｎ）に対応して形成され，一般的にその一端が互いに共通で連結されている。そして，プラズマ表示パネル１００は，維持電極及び走査電極（Ｘ１〜Ｘｎ，Ｙ１〜Ｙｎ）が配列されたガラス基板（図示せず）と，アドレス電極（Ａ１〜Ａｍ）が配列されたガラス基板（図示せず。）とからなる。二つのガラス基板は，走査電極（Ｙ１〜Ｙｎ）とアドレス電極（Ａ１〜Ａｍ），及び維持電極（Ｘ１〜Ｘｎ）とアドレス電極（Ａ１〜Ａｍ）が各々直交するように，放電空間を隔てて対向して配置される。この時，アドレス電極（Ａ１〜Ａｍ）と維持電極及び走査電極（Ｘ１〜Ｘｎ，Ｙ１〜Ｙｎ）の交差部にある放電空間が放電セルを形成する。
【００２３】
制御部２００は，外部から入力される階調に応じて，複数のサブフィールドの中で上記放電セルが点灯されるサブフィールドを選択し，アドレス駆動制御信号，維持電極駆動制御信号，及び走査電極駆動制御信号を出力する。また，制御部２００は，１階調から所定階調までの階調を表現する際，連続して点灯されないサブフィールドが２回以上存在しないようにサブフィールド配列を設定する。つまり，階調を表現するサブフィールド配列で隣接したサブフィールドの順序の差は２以下である。特に，制御部２００は，第ｎサブフィールドの加重値を第（ｎ−１）サブフィールドの加重値と第（ｎ−２）サブフィールドの加重値の合計以下となるように設定する。
【００２４】
そして，アドレス電極駆動部３００，維持電極駆動部４００，及び維持電極駆動部５００は，制御部２００から駆動制御信号を受信し，各サブフィールドでアドレス電極（Ａ１〜Ａｍ），維持電極（Ｘ１〜Ｘｎ），及び走査電極（Ｙ１〜Ｙｎ）に各々駆動電圧を印加する。
【００２５】
次に，図３ａ，図３ｂ，図４を参照して，本発明の実施形態にかかるプラズマ表示装置の制御部２００でサブフィールドを形成する方法について説明する。
【００２６】
図３ａ及び図３ｂは，各々サブフィールドの点灯される状態によるアドレス放電遅延時間を示すグラフ図である。
【００２７】
まず，図３ａ及び図３ｂを参照して，所定のサブフィールドの以前のサブフィールドの状態の違いによって，アドレス放電の遅延が異なってくることについて説明する。図３ａ及び図３ｂにおいて，横軸は，放電セルに走査パルスが印加された時点から放電の強さが最高になる時点までの時間，つまり，放電遅延時間を示し，単位はｎｓｅｃである。そして縦軸は，複数の放電セルで時間経過に従って放電の強さが最高にならない放電セルの個数を正規化した値であって，例えば，３００個の放電セルのうち，６００ｎｓｅｃで放電が最高になった放電セルが２１０個であれば，縦軸の値は０.７になる。
【００２８】
図３ａによれば，第１〜第４サブフィールド（ＳＦ１〜ＳＦ４）で全て維持放電が起こった後，第５サブフィールド（ＳＦ５）でアドレス放電が起こる場合（ＳＦ５Ｓ１２３４）と，第１〜第４サブフィールド（ＳＦ１〜ＳＦ４）で全て維持放電が起こらずに第５サブフィールド（ＳＦ５）で初めてアドレス放電が起こる場合（ＳＦ５）との放電遅延時間を示す。第１〜第４サブフィールド（ＳＦ１〜ＳＦ４）で維持放電が起こった後，第５サブフィールド（ＳＦ５）でアドレス放電が起こる場合には，大略７００ｎｓｅｃ程度で９０％以上の放電セルでアドレス放電が最高になることが分かる。また，第１〜第４サブフィールド（ＳＦ１〜ＳＦ４）で維持放電が起こらずに第５サブフィールド（ＳＦ５）でアドレス放電が起こる場合には，大略１４００ｎｓｅｃ程度で９０％以上の放電セルでアドレス放電が最高になることが分かる。つまり，前の４個のサブフィールドでの放電有無によって，放電遅延時間は２倍の差が生じる。
【００２９】
次に，図３ｂによれば，第１〜第４サブフィールド（ＳＦ１〜ＳＦ４）で維持放電が起こった後で，第５，第６，第７，第８，第１０，及び第１２サブフィールド（ＳＦ５〜ＳＦ８，ＳＦ１０，ＳＦ１２）で各々次のアドレス放電が起こる場合の放電遅延時間が分かる。第１〜第４サブフィールド（ＳＦ１〜ＳＦ４）で維持放電が起こった後，第５フィールドで放電が起こる場合をＳＦ５Ｓ１２３４，第６フィールドで放電が起こる場合をＳＦ６Ｓ１２３４，第７フィールドで放電が起こる場合をＳＦ７Ｓ１２３４，第８フィールドで放電が起こる場合をＳＦ８Ｓ１２３４，第１０フィールドで放電が起こる場合をＳＦ１０Ｓ１２３４，第１２フィールドで放電が起こる場合をＳＦ１２Ｓ１２３４で表した。つまり，第１〜第４サブフィールド（ＳＦ１〜ＳＦ４）の後にアドレス放電が起こらないサブフィールドの個数が多いほど，次のアドレス放電の遅延時間が長くなることが分かる。
【００３０】
図３ａ及び図３ｂより分かるように，アドレス放電が起こる以前に，連続的に放電が起こらないサブフィールドの個数によって放電遅延時間が決定されることが分かる。つまり，連続的に放電が起こらないサブフィールドの個数が多いほど放電遅延時間が長くなって，低放電が起こる確率が高まる。これは，所定のサブフィールドにおいて，その以前のサブフィールドで放電が起こり，生成されたプライミング粒子の量によって放電遅延時間が決定されることを意味する。つまり，以前のサブフィールドで放電が連続して起こったのであれば，プライミング粒子が多くなってアドレス放電の遅延時間が短くなるが，以前のサブフィールドで放電が連続して起こっていなければ，プライミング粒子がないために放電遅延時間が長くなる。
【００３１】
したがって，本発明の実施形態では，どういう階調を表現しても，連続して２回以上放電が起こらないサブフィールドが存在しないようにサブフィールドを割り当てる。以下では，本発明の実施形態にかかる，制御部２００でサブフィールドを決定する方法について詳しく説明する。
【００３２】
まず，複数のサブフィールドを加重値が減少しない形態に配列し，第１及び第２サブフィールド（ＳＦ１，ＳＦ２）の加重値（Ｗ１，Ｗ２）を各々決定する。第１及び第２サブフィールド（ＳＦ１，ＳＦ２）によって少なくとも１階調と２階調は表現されなければならないので，第１及び第２サブフィールド（ＳＦ１，ＳＦ２）の加重値（Ｗ１，Ｗ２）は各々１及び２（Ｗ１が１，Ｗ２が２ということである。），又は加重値（Ｗ１，Ｗ２）が全て１にならなければならない。
【００３３】
そして，ある階調が第３サブフィールド（ＳＦ３）の加重値（Ｗ３）によってのみ表現できるのであれば，この階調（Ｗ３）を表現する場合には第１及び第２サブフィールド（ＳＦ１，ＳＦ２）で放電が起こらないようになり，アドレス放電の遅延時間が長くなる。したがって，階調（Ｗ３）が第１及び第２サブフィールド（ＳＦ１，ＳＦ２）によって表現できるように第３サブフィールド（ＳＦ３）の加重値（Ｗ３）を決定する。つまり，階調（Ｗ３）が第１及び第２サブフィールド（ＳＦ１，ＳＦ２）で表現することができる最大階調（Ｗ１＋Ｗ２）より大きくないように第３サブフィールド（ＳＦ３）の加重値（Ｗ３）を決定する。
【００３４】
次に，ある階調が第１サブフィールド（ＳＦ１）の加重値（Ｗ１）と第４サブフィールド（ＳＦ４）の加重値（Ｗ４）の合計によってのみ表現できるのであれば，この階調（Ｗ１＋Ｗ４）を表現する場合には第２及び第３サブフィールド（ＳＦ２，ＳＦ３）で放電が起こらないようになり，アドレス放電の遅延時間が長くなる。したがって，階調（Ｗ１，Ｗ４）が第１〜第３サブフィールド（ＳＦ１〜ＳＦ３）によって表現できるように第４サブフィールド（ＳＦ４）の加重値（Ｗ４）を決定する。つまり，階調（Ｗ１＋Ｗ４）が，第１〜第３サブフィールド（ＳＦ１〜ＳＦ３）で表現することができる最大階調（Ｗ１＋Ｗ２＋Ｗ３）より大きくないように第４サブフィールド（ＳＦ４）の加重値（Ｗ４）を決定する。
【００３５】
また，第５サブフィールド（Ｗ５）を追加する際，ある階調（Ｗ１＋Ｗ２＋Ｗ５）が第１，第２，及び第５サブフィールド（ＳＦ１，ＳＦ２，ＳＦ５）の加重値（Ｗ１＋Ｗ２＋Ｗ５）の合計でのみ表現できるのであれば，連続して２個のサブフィールド（ＳＦ３，ＳＦ４）で放電が起こらないようになる。したがって，階調（Ｗ１＋Ｗ２＋Ｗ５）が，第１〜第４サブフィールド（ＳＦ１〜ＳＦ４）の加重値（Ｗ１〜Ｗ４）の組み合わせで表現することができるように第５サブフィールド（ＳＦ５）の加重値（Ｗ５）を決定する。つまり，階調（Ｗ１＋Ｗ２＋Ｗ５）が，第１〜第４サブフィールド（ＳＦ１〜ＳＦ４）で表現することができる最大階調（Ｗ１＋Ｗ２＋Ｗ３＋Ｗ４）より大きくないように第５サブフィールド（ＳＦ５）の加重値（Ｗ５）を決定する。このような形態で，追加されるサブフィールドの加重値を決定すれば，どういう階調を表現しても，連続して２回以上放電が起こらないサブフィールドが存在しないようにすることができる。
【００３６】
これを総合すれば，第ｎサブフィールドの加重値（Ｗｎ）は，第１〜第（ｎ−３）サブフィールドと第ｎサブフィールドの加重値（Ｗ１〜Ｗｎ−３，Ｗｎ）の合計が第１〜第（ｎ−１）サブフィールドの加重値（Ｗ１〜Ｗｎ−１）の合計より大きくないように設定する。つまり，数式１に示したように，第ｎサブフィールドの加重値（Ｗｎ）が第（ｎ−２）及び第（ｎ−１）サブフィールドの加重値（Ｗｎ−２，Ｗｎ−１）の合計より大きくないように設定する。
【００３７】
【数１】
2005338774.tif 000003
【００３８】
ここで，Ｗｎは第ｎサブフィールドの加重値であり，ｎは３以上の整数である。
【００３９】
ところが，一つのフィールド内で使用できるサブフィールドの個数は限定されているため，第ｎサブフィールドの加重値をあまりにも小さく設定すると，表現することができる階調の数が減少する。また，加重値が高すぎるサブフィールドが存在すると，そのサブフィールドによって擬似輪郭が発生するので，加重値が高すぎるサブフィールドが存在しないようにする必要もある。したがって，加重値が相対的に低いサブフィールドでは数式２のように，第ｎサブフィールドの加重値（Ｗｎ）が第（ｎ−２）及び第（ｎ−１）サブフィールドの加重値の合計（Ｗｎ−２＋Ｗｎ−１）とほぼ一致するように，第ｎサブフィールドの加重値（Ｗｎ）を決定することができる。また，加重値が相対的に高いサブフィールドでは，擬似輪郭を防止するために，第ｎサブフィールドの加重値（Ｗｎ）が第（ｎ−２）及び第（ｎ−１）サブフィールドの加重値の合計（Ｗｎ−２＋Ｗｎ−１）より小さくなるように設定することもできる。
【００４０】
【数２】
2005338774.tif 000004
【００４１】
次に，図４を参照して，本発明の実施形態で説明した方法で決定されたサブフィールド配列の一例を説明する。
【００４２】
図４は，本発明の実施形態にかかるサブフィールド配列の一例を示す図である。図４では便宜上，第１〜第８サブフィールド（ＳＦ１〜ＳＦ８）と５６階調までのみ示しており，第１〜第８サブフィールド（ＳＦ１〜ＳＦ８）では数式２が成立するように第１〜第８サブフィールド（ＳＦ１〜ＳＦ８）の加重値を決定した。図４に示されるように，本発明の実施形態で説明した方法によれば，どのような階調でも連続して２回以上放電が起こらないサブフィールドは存在しないこととなる。
【００４３】
つまり，階調を表現するサブフィールド配列で隣接したサブフィールドの順序の差は２以下である。ＳＦ１〜ＳＦ８がある時、ＳＦ１が点灯された場合にＳＦ２、ＳＦ３のいずれか一つのサブフィールドが必ず点灯される。ＳＦ１とＳＦ３が点灯されＳＦ２が点灯されない場合、階調を表現するサブフィールドはＳＦ１（順序１）、ＳＦ３（順序３）であり、ＳＦ３とＳＦ１の順序の差は２である。同様に、ＳＦ１とＳＦ２が点灯される場合には階調を表現するサブフィールド（ＳＦ１、ＳＦ２）の順序の差は１である。
【００４４】
以上，本発明の実施形態では，全てのサブフィールドで数式１の条件を満たすように加重値を決定することについて説明したが，これとは異なるように，加重値が低いサブフィールドでのみ数式１の条件を満たすように加重値を決定することもできる。
【００４５】
つまり，加重値が高いサブフィールドでは維持放電の回数が多いので，加重値が高いサブフィールドで維持放電が起こる場合には多量のプライミング粒子が生成される。したがって，以後に２回のサブフィールドを休んでも（放電が起こらなくても）ある程度のプライミング粒子が存在するので，加重値が低いサブフィールドよりは放電遅延時間が短縮する。したがって，相対的に加重値が低いサブフィールドでのみ数式１の条件を満たすようにサブフィールドの加重値を決定することもできる。
【００４６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４７】
本発明は，プラズマ表示パネルの階調表現方法及びプラズマ表示装置に適用可能であり，特に各々の加重値を複数のサブフィールドの組み合わせによって階調を表現する方法及びプラズマ表示装置に適用可能である。
【図面の簡単な説明】
【００４８】
【図１】一般的なプラズマ表示パネルの電極配列図である。
【図２】本発明の実施形態にかかるプラズマ表示装置の概略図である。
【図３ａ】サブフィールドの点灯される状態によるアドレス放電遅延時間を示すグラフ図である。（ＳＦ１〜ＳＦ４の放電状態が異なる場合のＳＦ５のアドレス放電。）
【図３ｂ】サブフィールドの点灯される状態によるアドレス放電遅延時間を示すグラフ図である。（ＳＦ１〜ＳＦ４の放電が起こった後のＳＦ５〜ＳＦ８，ＳＦ１０，ＳＦ１２のアドレス放電。）
【図４】本発明の実施形態にかかるサブフィールド配列の一例を示す図である。
【符号の説明】
【００４９】
１００  プラズマ表示パネル
２００  制御部
３００  アドレス電極駆動部
４００  維持電極駆動部
５００  走査電極駆動部
【図１】
2005338774.tif 000005
【図２】
2005338774.tif 000006
【図３ａ】
2005338774.tif 000007
【図３ｂ】
2005338774.tif 000008
【図４】
2005338774.tif 000009